(57)【要約】【課題】本発明は用紙検出手段の検出結果に基づいて長尺紙を搬送するとともに、長尺紙の表裏面を反転させて、当該長尺紙の表裏面に画像形成する画像形成装置を提供する。【解決手段】複写装置１は、給紙部３から画像形成ユニット５に給紙されるロール紙Ｐｒを用紙センサ２５で検出し、画像形成ユニット５で、メモリ部に蓄積されている画像データに基づいてロール紙Ｐｒの表面に画像形成した後、ロール紙Ｐｒを両面ユニット４で反転して再度画像形成ユニット５に搬送してロール紙Ｐｒの裏面にメモリ部の裏面用の画像データに基づいて画像形成するに際して、用紙センサ２５により、両面ユニット４で表裏面の反転されるロール紙Ｐｒをも検出し、用紙センサ２５の検出結果に基づいて表裏面を反転させるロール紙Ｐｒの搬送を制御するとともに、メモリ部に裏面用の画像データが所定の待ち時間の間に蓄積されないと、画像形成を中止して、ロール紙Ｐｒを排出する。【選択図】          図２
2005107060.tif 000002
【特許請求の範囲】
【請求項１】
画像データを蓄積する画像データ記憶手段と、少なくとも長尺紙を供給する給紙手段と、当該給紙手段から給紙される当該長尺紙を検出する用紙検出手段と、前記画像データ記憶手段の画像データに基づいて前記給紙手段から供給される長尺紙の表面に画像を記録する画像形成手段と、前記画像形成手段で表面に画像形成された長尺紙を当該長尺紙の表裏面を反転させて再度前記画像形成手段に搬送する反転手段と、を備え、前記用紙検出手段の検出結果に基づいて前記長尺紙の搬送を制御して、前記反転手段で反転された前記長尺紙の裏面に前記画像形成手段で前記画像データ記憶手段の画像データに基づいて画像形成して排出する画像形成装置であって、前記用紙検出手段は、前記反転手段で表裏面の反転される前記長尺紙をも検出し、当該用紙検出手段の検出結果に基づいて前記表裏面を反転させる長尺紙の搬送を制御することを特徴とする画像形成装置。
【請求項２】
前記画像形成装置は、前記表面に画像形成した長尺紙を前記反転手段に搬送した後、前記画像データ記憶手段に裏面用の画像データが所定の待ち時間の間に蓄積されないと、当該長尺紙の裏面への画像形成を中止して、当該反転手段に搬送した前記長尺紙を排出することを特徴とする請求項１記載の画像形成装置。
【請求項３】
前記画像形成装置は、前記反転手段に搬送した後、前記裏面への画像形成を中止した前記長尺紙を、前記画像形成手段を通過させることなく、そのまま排出することを特徴とする請求項２記載の画像形成装置。
【発明の詳細な説明】
【技術分野】
【０００１】
本発明は、画像形成装置に関し、詳細には、安価かつ効率的に用紙検出手段の検出結果に基づいて長尺紙を搬送するとともに、当該長尺紙の表裏面を反転させて、当該長尺紙の表裏面に画像形成する画像形成装置に関するものである。
【背景技術】
【０００２】
ファクシミリ装置やコピー装置等の画像形成装置、特に、長尺原稿（長い原稿）の画像を記録出力する画像形成装置においては、長尺の用紙（長尺紙）、通常、ロール紙（紙管に巻き付けられた用紙）を使用して、画像形成しており、このようなロール紙を使用すると、長尺の画像や各種サイズの画像を記録することができる（特許文献１、特許文献２等参照）。
【０００３】
このようなロール紙を備えた画像形成装置においては、一般的に、ロール紙の幅方向にロール紙の紙幅以上の長さの固定刃と、紙幅方向に往復するワイヤに固定され固定刃に接触しつつ紙幅方向を往復してロール紙を切断する回転式の丸刃（可動刃）と、を有したカッターを備えており、駆動モータにより丸刃を一方向に移動させてロール紙を切断した後、駆動モータを逆転させて丸刃を待機位置に戻すというロール紙切断動作を行う。
【０００４】
【特許文献１】特開２００２−３０８８号公報
【特許文献２】特開２００２−３４８０５１号公報
【発明の開示】
【発明が解決しようとする課題】
【０００５】
しかしながら、長尺紙を用いる画像形成装置では、従来、用紙の両面に画像を形成することができなかった。
【０００６】
また、このような長尺の原稿の画像データを長尺のカット紙の両面に記録するためには、長尺のカット紙を収納しておく用紙カセットが必要であるが、このような長尺の用紙カセットを装置内に収納するためには、画像形成装置が大型化するという問題があった。
【０００７】
そこで、請求項１記載の発明は、少なくとも長尺紙を供給する給紙手段から給紙される長尺紙を用紙検出手段で検出し、当該給紙手段からの長尺紙を画像形成手段に搬送して、画像形成手段で、画像データ記憶手段に蓄積されている画像データに基づいて当該長尺紙の表面に画像形成した後、当該長尺紙を反転手段で反転して再度画像形成手段に搬送して当該長尺紙の裏面に画像データ記憶手段の裏面用の画像データに基づいて画像形成するに際して、当該用紙検出手段により、反転手段で表裏面の反転される長尺紙をも検出し、当該用紙検出手段の検出結果に基づいて表裏面を反転させる長尺紙の搬送を制御することにより、長尺紙をも反転手段で適切に反転させて表裏面に画像形成するとともに、少ない用紙検出手段で長尺紙を検出して長尺紙の搬送を制御し、安価にかつ用紙を節約しつつ長尺紙の両面に画像形成する画像形成装置を提供することを目的としている。
【０００８】
請求項２記載の発明は、表面に画像形成した長尺紙を反転手段に搬送した後、画像データ記憶手段に裏面用の画像データが所定の待ち時間の間に蓄積されないと、当該長尺紙の裏面への画像形成を中止して、当該反転手段に搬送した長尺紙を排出することにより、長尺の原稿の読み取りを行わせる操作に合わせて反転させる長尺紙を待機させて、利用性を向上させるとともに、所定の待ち時間を超えると、長尺紙を排出して、消費電力を節約する画像形成装置を提供することを目的としている。
【０００９】
請求項３記載の発明は、反転手段に搬送した後、裏面への画像形成を中止した長尺紙を、画像形成手段を通過させることなく、そのまま排出することにより、短い搬送経路を通過させて長尺紙を排出し、消費電力を削減するとともに、次の動作に速やかに移行して、利用性の良好な画像形成装置を提供することを目的としている。
【課題を解決するための手段】
【００１０】
請求項１記載の発明の画像形成装置は、画像データを蓄積する画像データ記憶手段と、少なくとも長尺紙を供給する給紙手段と、当該給紙手段から給紙される当該長尺紙を検出する用紙検出手段と、前記画像データ記憶手段の画像データに基づいて前記給紙手段から供給される長尺紙の表面に画像を記録する画像形成手段と、前記画像形成手段で表面に画像形成された長尺紙を当該長尺紙の表裏面を反転させて再度前記画像形成手段に搬送する反転手段と、を備え、前記用紙検出手段の検出結果に基づいて前記長尺紙の搬送を制御して、前記反転手段で反転された前記長尺紙の裏面に前記画像形成手段で前記画像データ記憶手段の画像データに基づいて画像形成して排出する画像形成装置であって、前記用紙検出手段は、前記反転手段で表裏面の反転される前記長尺紙をも検出し、当該用紙検出手段の検出結果に基づいて前記表裏面を反転させる長尺紙の搬送を制御することにより、上記目的を達成している。
【００１１】
この場合、例えば、請求項２に記載するように、前記画像形成装置は、前記表面に画像形成した長尺紙を前記反転手段に搬送した後、前記画像データ記憶手段に裏面用の画像データが所定の待ち時間の間に蓄積されないと、当該長尺紙の裏面への画像形成を中止して、当該反転手段に搬送した前記長尺紙を排出するものであってもよい。
【００１２】
また、例えば、請求項３に記載するように、前記画像形成装置は、前記反転手段に搬送した後、前記裏面への画像形成を中止した前記長尺紙を、前記画像形成手段を通過させることなく、そのまま排出するものであってもよい。
【発明の効果】
【００１３】
請求項１記載の発明の画像形成装置によれば、少なくとも長尺紙を供給する給紙手段から給紙される長尺紙を用紙検出手段で検出し、当該給紙手段からの長尺紙を画像形成手段に搬送して、画像形成手段で、画像データ記憶手段に蓄積されている画像データに基づいて当該長尺紙の表面に画像形成した後、当該長尺紙を反転手段で反転して再度画像形成手段に搬送して当該長尺紙の裏面に画像データ記憶手段の裏面用の画像データに基づいて画像形成するに際して、当該用紙検出手段により、反転手段で表裏面の反転される長尺紙をも検出し、当該用紙検出手段の検出結果に基づいて表裏面を反転させる長尺紙の搬送を制御するので、長尺紙をも反転手段で適切に反転させて表裏面に画像形成することができるとともに、少ない用紙検出手段で長尺紙を検出して長尺紙の搬送を制御することができ、安価にかつ用紙を節約しつつ長尺紙の両面に画像形成することができる。
【００１４】
請求項２記載の発明の画像形成装置によれば、表面に画像形成した長尺紙を反転手段に搬送した後、画像データ記憶手段に裏面用の画像データが所定の待ち時間の間に蓄積されないと、当該長尺紙の裏面への画像形成を中止して、当該反転手段に搬送した長尺紙を排出するので、長尺の原稿の読み取りを行わせる操作に合わせて反転させる長尺紙を待機させて、利用性を向上させることができるとともに、所定の待ち時間を超えると、長尺紙を排出して、消費電力を節約することができる。
【００１５】
請求項３記載の発明の画像形成装置によれば、反転手段に搬送した後、裏面への画像形成を中止した長尺紙を、画像形成手段を通過させることなく、そのまま排出するので、短い搬送経路を通過させて長尺紙を排出することができ、消費電力を削減することができるとともに、次の動作に速やかに移行して、利用性を向上させることができる。
【発明を実施するための最良の形態】
【００１６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１７】
図１〜図９は、本発明の画像形成装置の一実施例を示す図であり、図１は、本発明の画像形成装置の一実施例を適用した複写装置１の外観斜視図、図２は、図１の複写装置１の側面概略構成図である。
【００１８】
図１において、複写装置１は、本体筐体２の下部から、給紙部３、両面ユニット４、画像形成ユニット５、読取ユニット６及び操作部７等が順次上部に向かって配設されている。
【００１９】
給紙部（給紙手段）３は、図２に示すように、カット紙給紙部１１とロール紙給紙部１２とを備え、カット紙給紙部１１は、複数枚の通常サイズ（Ａ４、Ｂ５等のサイズ）のカット紙Ｐｃを収納して、当該収納する複数枚のカット紙Ｐｃを給紙ローラ１３等を用紙モータ１４で駆動して、１枚ずつ分離して、両面ユニット４を通過させて画像形成ユニット５に搬送する。
【００２０】
また、給紙部３は、ロール紙給紙部１２に、複数、図２では、長尺紙としての２つのロール紙Ｐｒ、各ロール紙Ｐｒ用の給紙ローラ１５及び用紙カッター１６等を収納しており、用紙モータ１４により２つのロール紙Ｐｒのうち１つのロール紙Ｐｒ用の給紙ローラ１５を駆動させて、ロール紙Ｐｒを両面ユニット４を通過させて画像形成ユニット５に搬送するとともに、必要な長さで当該ロール紙Ｐｒを用紙カッター１６で切断する。
【００２１】
両面ユニット（反転手段）４は、搬送経路１９、反転搬送経路２０、反転経路２１、各経路１９、２０、２１に配設された搬送ローラ２２、経路切換爪２３、ソレノイド２４、用紙センサ２５及び両面ユニットモータ２６等を備えており、両面ユニットモータ２６が搬送ローラ２２を駆動させて、カット紙Ｐｃやロール紙Ｐｒ等の記録紙Ｐ（記録紙Ｐは、カット紙Ｐｃとロール紙Ｐｒを総称する。）の搬送、反転搬送及び排紙を行う。
【００２２】
すなわち、両面ユニット４は、搬送経路１９が、給紙部３から送り出されたカット紙Ｐｃやロール紙Ｐｒ等の記録紙Ｐを画像形成ユニット５に搬送するとともに、反転搬送経路２０からの記録紙Ｐを反転経路２１に搬送し、また、反転経路２１で反転された記録紙Ｐを画像形成ユニット５に搬送する。
【００２３】
反転搬送経路２０には、画像形成ユニット５で片面に画像形成され両面印字する記録紙Ｐが送り込まれ、反転搬送経路２０は、当該送り込まれてきた片面画像形成済の記録紙Ｐを搬送経路１９及びソレノイド２４で駆動される経路切換爪２３に案内させて反転経路２１に送り込む。
【００２４】
反転経路２１は、反転搬送経路２０から送り込まれてきた片面画像形成済の記録紙Ｐを、両面ユニットモータ２６が反転して搬送ローラ２２を逆転させることで、表裏反転させた状態で、搬送経路１９に反転させて戻し、搬送経路１９が再度記録紙Ｐを画像形成ユニット５に搬送する。また、反転経路２１は、排紙排出路２７を備え、後述するように、反転搬送経路２０から送り込まれてきた記録紙Ｐを、排紙排出路２７から図示しない排紙トレイ上に排出する。
【００２５】
そして、経路切換爪２３は、ソレノイド２４で駆動されて、給紙部３からの記録紙Ｐをそのまま搬送経路１９を通して画像形成ユニット５に搬送させる位置と、反転搬送経路２０からの記録紙Ｐを反転経路２１にガイドする位置と、に移動する。
【００２６】
そして、上記用紙センサ（用紙検出手段）２５は、搬送経路１９を通過して画像形成ユニット５に搬送される記録紙Ｐを検出し、また、反転搬送経路２０から反転経路２１に送り込まれる記録紙Ｐ、特に、記録紙Ｐの後端を検出する。
【００２７】
画像形成ユニット（画像形成手段）５は、感光体ドラム３１、現像ユニット３２、定着ユニット３３、転写部３４、複数の搬送ローラ３５、レジストローラ３６、メインモータ３７、経路切換爪３８及びソレノイド３９等を備えているとともに、図示しないが、光書込部、帯電部、クリーニング部等を備えており、両面ユニット４から搬送されてきた記録紙Ｐにトナー画像を形成して、本体筐体２外の図示しない排紙トレイ上に当該記録紙Ｐを排出し、また、両面印字する場合には、当該記録紙Ｐを両面ユニット４の反転搬送経路２０に送り込む。
【００２８】
すなわち、画像形成ユニット５は、メインモータ３７で感光体ドラム３１及び搬送ローラ３５等を駆動して、図示しない帯電部で当該回転する感光体ドラム３１を一様に帯電させ、図示しない光書込部から当該帯電された感光体ドラム３１に画像データに基づいて変調したレーザ光を照射して静電潜像を形成し、当該静電潜像の形成された感光体ドラム３１に現像ユニット３２からトナーを供給して現像することでトナー画像を形成する。画像形成ユニット５は、感光体ドラム３１上に形成したトナー画像を、給紙部３から両面ユニット４を通して搬送されレジストローラ３６でタイミング調整されて転写部３４との間に搬送されてきた記録紙Ｐに、当該転写部３４で転写させる。画像形成ユニット５は、トナー画像の転写された記録紙Ｐを定着ユニット３３に搬送して、定着ユニット３３で加熱・加圧して、トナー画像を記録紙Ｐに定着させ、定着の完了した記録紙Ｐを本体筐体２外の図示しない排紙トレイ上に排出し、また、両面印字する場合には、ソレノイド３９で経路切換爪３８を移動させて当該経路切換爪３８で記録紙Ｐの搬送方向を切り換えて、両面ユニット４に搬送する。
【００２９】
読取ユニット６は、原稿読取台４１、搬送ローラ４２、密着センサ４３、ガイド部材４４及び原稿モータ４５等を備えており、原稿読取第４１上にセットされた原稿を、原稿モータ４５で駆動される搬送ローラ４２により密着センサ４３とガイド部材４４との間を通過するように搬送して、当該搬送される原稿の画像を密着センサ４３により読み取る。
【００３０】
操作部７は、図１に示すように、複写装置１の動作に必要な各種操作を行う操作キー５１と各種情報を表示する表示部５２等を備えている。
【００３１】
そして、複写装置１は、図３に示すようにブロック構成されており、ＣＰＵ（Central Processing Unit ）部６１、ＲＯＭ（Read Only Memory）部６２、ＲＡＭ（Random Access Memory）部６３、Ａ／Ｄ変換部６４、ＩＯ部６５、メモリ部６６、画像編集部６７等を備えているとともに、上記画像形成ユニット５、両面ユニット４及び給紙部３等の画像形成系を総称する書込部６８及び上記操作部７等を備えており、ＡＤ変換部６４には、上記読取ユニット６の密着センサ４３等の各種センサ系６９が接続され、また、ＩＯ部６５には、上記用紙モータ１４、両面ユニットモータ２６、メインモータ３７等のモータ、ソレノイド２４、３９等のソレノイド、センサ、クラッチ等の各種駆動系７０が接続されている。
【００３２】
ＲＯＭ部６２には、複写装置１としての基本処理プログラム及び後述する両面記録処理プログラム等のプログラム及び当該各プログラムを実行するのに必要な各種データが格納されており、ＣＰＵ部６１は、ＲＯＭ部６２内のプログラムに基づいて、ＲＡＭ部６３をワークメモリとして利用しつつ、複写装置１としての基本処理を実行するとともに、後述する両面記録処理を実行する。
【００３３】
ＡＤ変換部６４は、各種センサ系６９から入力されるアナログのセンサ出力をデジタル変換し、ＩＯ部６５は、各種駆動系７０への制御信号の出力や各種駆動系７０からの信号の受取を行う。
【００３４】
メモリ部（画像データ記憶手段）６６は、ハードディスクやＲＡＭ等の大容量メモリで構成され、ＣＰＵ部６１の制御下で、読取ユニット６の密着センサ４３の読み取った原稿の画像データを蓄積する。
【００３５】
画像編集部６７は、読取ユニット６の密着センサ４３の読み取った原稿の画像データに対して各種画像処理を施す。
【００３６】
次に、本実施例の作用を説明する。本実施例の複写装置１は、両面ユニット４の用紙センサ２４で、ロール紙Ｐｒの長さを検出するとともに、当該ロール紙Ｐｒを切断して表面に画像形成した後に裏面にも画像形成する際に、当該表面画像形成済のロール紙Ｐｒの後端を当該用紙センサ２４で検出し、また、当該両面形成を行う際に、メモリ部６６に裏面用の画像データがあるか否かで表面画像形成済のロール紙Ｐｒを画像形成ユニット５を通過させずに両面ユニット４から直接本体筐体２外に排出する。
【００３７】
すなわち、複写装置１は、コピー動作を行う場合、操作部７で必要な操作、例えば、両面画像形成モードの設定、記録枚数等の操作が行われ、スタートキーが操作されると、図４に示すように、ＣＰＵ部６１の制御下で、まず、読取ユニット６の原稿モータ４５を駆動させて、密着センサ４３で原稿の読み取りを行わせ（ステップＳ１０１）、読取ユニット６の読み取った原稿の画像データをメモリ部６６に蓄積する（ステップＳ１０２）。
【００３８】
複写装置１は、原稿の画像データをメモリ部６６に蓄積すると、給紙部３の用紙モータ１４を駆動させて、上記操作部７での設定に応じたロール紙Ｐｒから給紙を開始するとともに、図５に示すように、ソレノイド２４をオン駆動させて給紙部３から両面ユニット４を通過させて画像形成ユニット５へ搬送する搬送経路１９を開いて、ロール紙Ｐｒを両面ユニット４を通過させて画像形成ユニット５へ搬送し、このときのロール紙Ｐｒの長さを、用紙センサ２５の検出結果に基づいて判断して、必要な長さになると、用紙カッター１６でロール紙Ｐｒを切断する（ステップＳ１０３）。
【００３９】
複写装置１は、メモリ部６６の格納した画像データを画像形成ユニット５の光書込部に渡して、光書込部が当該画像データに基づいて変調したレーザビームを一様に帯電されている感光体ドラム３１に照射して静電潜像を形成し、現像ユニット３２で現像してトナー画像を形成して、当該感光体ドラム３１上のトナー画像を、上記搬送されてきたロール紙Ｐｒの表面に転写して画像形成する。複写装置１は、トナー画像を転写したロール紙Ｐｒを定着ユニット３３に搬送して、定着ユニット３３で加熱・加圧して、トナー画像を記録紙Ｐに定着させ、ロール紙Ｐｒの表面への画像形成を完了する（ステップＳ１０４）。
【００４０】
複写装置１は、ロール紙Ｐｒの表面への画像形成を行うと、操作部７での設定で両面印刷に設定されているかどうかチェックし（ステップＳ１０５）、両面印刷でないときには、画像形成ユニット５のソレノイド３９をオフにして経路切換爪３８を駆動させて排紙トレイへの経路を開いて、当該画像の形成されたロール紙Ｐｒを排紙トレイ上に排出して、１枚の複写処理を終了する（ステップＳ１０６）。
【００４１】
ステップＳ１０５で、両面印刷のときには、複写装置１は、図６に示すように、画像形成ユニット５のソレノイド３９をオン駆動するとともに、両面ユニット４のソレノイド２４をオン駆動して、経路切換爪３８で表面の画像形成の完了したロール紙Ｐｒを両面ユニット４方向にガイドし、ロール紙Ｐｒを両面ユニット４の反転搬送経路２０に導入させるとともに、反転搬送経路２０を通過したロール紙Ｐｒを経路切換爪２３で反転経路２１へと導入させる（ステップＳ１０７）。
【００４２】
複写装置１は、ロール紙Ｐｒの搬送方向を両面ユニット４方向に切り換えて搬送すると、図７に示すように、ロール紙Ｐｒ（用紙）の後端が用紙センサ２５を通過、すなわち、用紙センサ２５が反転搬送経路２０から反転経路２１へと導入されるロール紙Ｐｒの後端を検出するのを待って（ステップＳ１０８）、次の画像データ、すなわち、裏面用の画像データがメモリ部６６に蓄積されているかチェックする（ステップＳ１０９）。
【００４３】
ステップＳ１０９で、次の画像データがあるときには、複写装置１は、ロール紙Ｐｒの後端を用紙センサ２５が検出することで、ロール紙Ｐｒの後端が反転搬送経路２０を通過して反転経路２１へと搬送中であると判断して、両面ユニットモータ２６の回転を停止させた後に逆回転させて、図８に示すように、反転経路２１に送り込まれて表裏面が反転されたロール紙Ｐｒを搬送経路１９を通して、再度画像形成ユニット５へと搬送する（ステップＳ１１０）。
【００４４】
複写装置１は、表裏面の反転されたロール紙Ｐｒの画像形成ユニット５への搬送を開始すると、メモリ部６６に格納されている裏面用の画像データを画像形成ユニット５の光書込部に渡して、上記同様に、当該裏面用の画像データに基づいて当該ロール紙Ｐｒの裏面に画像形成し（ステップＳ１１１）、画像形成ユニット５のソレノイド３９をオフ動作させて、画像形成の完了したロール紙Ｐｒを、本体筐体２外の排紙トレイ上に排出して、１枚の複写処理を終了する（ステップＳ１１２）。
【００４５】
そして、複写装置１は、上記ステップＳ１０９で、次の画像がないときには、すなわち、メモリ部６６に裏面用の画像データが蓄積されていないときには、マシン（複写装置１）が裏面の複写中止と判断したかチェックする（ステップＳ１１３）。すなわち、複写装置１は、次の画像データがメモリ部６６に格納されておらず、複写動作を予め設定された待ち時間の間停止している状態が続いたか、あるいは、操作部７等の操作で複写動作の停止が指示操作されたか等の予め裏面複写中止条件として設定されている中止条件が整ったかを判断する。
【００４６】
ステップＳ１１３で、裏面複写中止条件が整っていないときには、複写装置１は、ステップＳ１０９に戻って、裏面用の画像データが蓄積されたかチェックし（ステップＳ１０９）、裏面用の画像データが蓄積されると、上記同様に画像形成してロール紙Ｐｒを排出する（ステップＳ１１０〜Ｓ１１２）。
【００４７】
ステップＳ１１３で、裏面複写中止条件が整っているときには、複写装置１は、両面ユニット４の反転経路２１まで搬送したロール紙Ｐｒを画像形成ユニット５を通過させることなく、図９に示すように、反転経路２１に形成されている排紙排出路２７を通して、そのまま本体筐体２外の排紙トレイ上に排出させて、複写処理を終了する（ステップＳ１１４）。
【００４８】
このように、本実施の形態の複写装置１は、少なくとも長尺紙であるロール紙Ｐｒを供給する給紙部３から給紙されるロール紙Ｐｒを用紙センサ２５で検出し、給紙部３からのロール紙Ｐｒを画像形成ユニット５に搬送して、画像形成ユニット５で、メモリ部６６に蓄積されている画像データに基づいてロール紙Ｐｒの表面に画像形成した後、当該ロール紙Ｐｒを両面ユニット４で反転して再度画像形成ユニット５に搬送して当該ロール紙Ｐｒの裏面にメモリ部６６の裏面用の画像データに基づいて画像形成するに際して、用紙センサ２５により、両面ユニット４で表裏面の反転されるロール紙Ｐｒをも検出し、当該用紙センサ２５の検出結果に基づいて表裏面を反転させるロール紙Ｐｒの搬送を制御している。
【００４９】
したがって、ロール紙Ｐｒをも両面ユニット４で適切に反転させて表裏面に画像形成することができるとともに、少ない用紙センサ２５でロール紙Ｐｒを検出してロール紙Ｐｒの搬送を制御することができ、安価にかつ用紙を節約しつつロール紙Ｐｒの両面に画像形成することができる。
【００５０】
また、本実施例の複写装置１は、表面に画像形成したロール紙Ｐｒを両面ユニット４に搬送した後、メモリ部６６に裏面用の画像データが所定の待ち時間の間に蓄積されないと、当該ロール紙Ｐｒの裏面への画像形成を中止して、両面ユニット４に搬送したロール紙Ｐｒを排出している。
【００５１】
したがって、長尺の原稿の読み取りを行わせる操作に合わせて反転させるロール紙Ｐｒを待機させて、利用性を向上させることができるとともに、所定の待ち時間を超えると、ロール紙Ｐｒを排出して、消費電力を節約することができる。
【００５２】
さらに、本実施例の複写装置１は、両面ユニット４に搬送した後、裏面への画像形成を中止したロール紙Ｐｒを、画像形成ユニット５を通過させることなく、そのまま両面ユニット４から排紙排出路２７を通して排出している。
【００５３】
したがって、短い搬送経路を通過させてロール紙Ｐｒを排出することができ、消費電力を削減することができるとともに、次の動作に速やかに移行して、利用性を向上させることができる。
【００５４】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５５】
ファクシミリ装置、複写装置、プリンタ装置、印刷機等の画像形成装置、特に、長尺原稿の画像を長尺紙の表裏面に画像形成する画像形成装置等に適用することができる。
【図面の簡単な説明】
【００５６】
【図１】本発明の画像形成装置の一実施例を適用した複写装置の外観斜視図。
【図２】図１の複写装置の側面概略構成図。
【図３】図１の複写装置のブロック構成図。
【図４】図１の複写装置による複写処理を示すフローチャート。
【図５】図１の複写処理でロール紙を画像形成ユニットに搬送している状態の概略説明図。
【図６】図１の複写処理でロール紙を画像形成ユニットから両面ユニットに搬送している状態の概略説明図。
【図７】図６のロール紙を当該ロール紙の後端を用紙センサが検出するまで両面ユニット内を搬送した状態の概略説明図。
【図８】図７のロール紙を再度画像形成ユニットに搬送を開始した状態の概略説明図。
【図９】図７のロール紙を画像形成ユニットを経由させることなく両面ユニット内から直接排出している状態の概略説明図。
【符号の説明】
【００５７】
１  複写装置
２  本体筐体
３  給紙部
４  両面ユニット
５  画像形成ユニット
６  読取ユニット
７  操作部
１１  カット紙給紙部
１２  ロール紙給紙部
Ｐｃ  カット紙
１３  給紙ローラ
１４  用紙モータ
１５  給紙ローラ
１６  用紙カッター
Ｐｒ  ロール紙
１９  搬送経路
２０  反転搬送経路
２１  反転経路
２２  搬送ローラ
２３  経路切換爪
２４  ソレノイド
２５  用紙センサ
２６  両面ユニットモータ
Ｐ  記録紙
２７  排紙排出路
３１  感光体ドラム
３２  現像ユニット
３３  定着ユニット
３４  転写部
３５  搬送ローラ
３６  レジストローラ
３７  メインモータ
３８  経路切換爪
３９  ソレノイド
４１  原稿読取台
４２  搬送ローラ
４３  密着センサ
４４  ガイド部材
４５  原稿モータ
６１  ＣＰＵ部
６２  ＲＯＭ部
６３  ＲＡＭ部
６４  Ａ／Ｄ変換部
６５  ＩＯ部
６６  メモリ部
６７  画像編集部
６８  書込部
６９  各種センサ系
７０  各種駆動系
【図１】
2005107060.tif 000003
【図２】
2005107060.tif 000004
【図３】
2005107060.tif 000005
【図４】
2005107060.tif 000006
【図５】
2005107060.tif 000007
【図６】
2005107060.tif 000008
【図７】
2005107060.tif 000009
【図８】
2005107060.tif 000010
【図９】
2005107060.tif 000011